(57)【要約】【課題】磁力の作用方向を切り替えるクリップを提供する。【解決手段】下基台４に厚み方向に貫通する貫通孔のある第１磁石１を固着させ、前記下基台と連続して繋がった上基台５に磁極を同方向に向けた第２磁石２を設け、上下の基台を折り曲げ磁力の作用範囲に接近すると、最初に反発力が働き、さらに加力して曲げ合わせると吸着力が作用して、下基台４と上基台５の間に被狭持体７をクリップすることが出来る。また、閉じた形態から加力して押し広げ、所定間隔離間すると反発力が作用して開いた状態を維持するクリップを提供することが出来る。 【選択図】図１
2008162254.tif 000002
【特許請求の範囲】
【請求項１】
下基台と、前記下基台に配設し厚み方向に貫通する貫通孔のある第１磁石と、
前記下基台と連続して繋がった上基台と、前記上基台に前記第１磁石と磁極を同方向に向け配設された第２磁石と、を備え、
前記下基台か上基台を弾性復帰可能に折り曲げ、前記第１磁石と第２磁石とが磁力作用範囲に接近したとき反発力が働き、さらに、加力して曲げ合わせることにより
磁力の作用方向が逆転して吸着力が作用し、前記下基台と上基台との間に被挟持体をクリップ可能に構成されている
ことを特徴とするクリップ。
【請求項２】
前記下基台と上基台の屈曲部から分離され、関節構造を有する方法で接続構成されている
ことを特徴とする請求項１記載のクリップ。
【発明の詳細な説明】
【技術分野】
【０００１】
本発明は、磁石を利用して例えば被狭持体を挟むためのクリップに関する。
【背景技術】
【０００２】
近年、磁力や磁石を利用した種々の商品が開発されている。磁力は例えば、モーター、電磁弁、健康器具等に用いられる他、医療分野、教育分野、交通手段にも利用されており、更に今後もその利用の拡大が見込まれている。
【０００３】
一方、非特許文献１に磁力吸着式紙ホルダーの一例が記載されている。通常、磁力は吸着または反発の一方向にしか働かないため、屈曲部に反発力を持たせ開いた状態を維持する構成になっている。しかし、樹脂を使用するため熱に対して劣化し易く、形状も単純でなくなり厚みも必要になる。
【非特許文献１】実開昭６３−１８９６７８号公報
【発明の開示】
【発明が解決しようとする課題】
【０００４】
従来の技術に於いて、磁石式クリップは被狭持体を狭持するのみの方法で使用されている。片方の狭持片を加力して押し広げ、既に挟んである被狭持体を外した場合、狭持片は指を離すと直に閉じてしまう。
しかし、一度開くと次に狭持するまで開いたままになる方が都合の良い場合が多い。これまで、狭持機能と開いた状態を維持する機能、両方を持たせるためには、新たな構成要素を追加しなければならなかった。
以上の現状を鑑み、磁石のみを利用して狭持し、所定間隔離間すると反発力が働いて開いたままを維持する磁石の構成を提供する。
【課題を解決するための手段】
【０００５】
上記の課題を解決すべく、本発明は以下の構成を提供する。
請求項１に係る発明は、下基台と、前記下基台に配設し厚み方向に貫通する貫通孔のある第１磁石と、前記下基台と連続して繋がった上基台と、前記上基台に前記第１磁石と磁極を同方向に向け配設された第２磁石と、を備え、前記下基台か上基台を弾性復帰可能に折り曲げ、前記第１磁石と第２磁石とが磁力作用範囲に接近したとき反発力が働き、さらに、加力して曲げ合わせることにより磁力の作用方向が逆転して吸着力が作用し、前記下基台と上基台との間に被挟持体をクリップ可能に構成されていることを特徴とするクリップを提供するものである。
【０００６】
請求項２に係る発明は、前記下基台と上基台の屈曲部から分離され、関節構造を有する方法で接続構成されていることを特徴とする請求項１記載のクリップを提供するものである。
【発明の効果】
【０００７】
本発明の請求項１記載の発明によれば、下基台にリング状の第１磁石を固着させ、上基台に磁極を同方向に向けた第２磁石を配設して、両基台を折り曲げ磁力の作用範囲に接近すると反発力が働くが、さらに加力して曲げ合わせると、磁力の作用が逆転して下基台と上基台の間に被挟持体をクリップすることができる。また、閉じた形態から一方の基台を加力して押し広げ、ある程度隔離間すると前記反発力で開いた状態を維持するクリップを提供することができる。
【０００８】
本発明の請求項２記載の発明によれば、下基台と上基台の屈曲部を関節構造によって繋ぎ合わせ所定範囲回転できるようにしたクリップを提供することができる。
【発明を実施するための最良の形態】
【０００９】
各図を参照しながら、本発明を実施するための最良の形態（以下、「本実施形態」という）について説明する。
尚、図１及び本実施形態（１）から順次説明する実施形態で用いる構成材と、同じ働きをする構成部には同一番号を付し説明を可能な限り省略する。
また、本実施形態に於いて各磁石の形状は、円形またはリング型を使用するが、多数の変形例が考えられるため、図により最後に形状の詳細を説明する。
【００１０】
ここで、本実施形態の説明に入る前に、第１磁石と第２磁石との相対関係を先に説明して後述する実施形態を分かり易くする。また、挟持機能はクリップ以外にも利用可能であることはいうまでもない。
【００１１】
図１（９ａ）は、第１磁石1と第２磁石２の相対関係をあらわした図であるが、それぞれ磁石の厚み方向に磁極を向け、Ｎ極(以下、Ｎ)からＳ極(以下、Ｓ)に磁力線は出ている。第１磁石1と第２磁石２が向き合っている面は（９ａ）の場合、ＳＳであり反発力(上下の矢印の方向)が働いている。
【００１２】
しかし、図１（９ｂ）に於いて、反発力に逆らい更に４〜６ミリ（磁石の大きさ、形、磁力の強さなどにより更に変わる）付近まで接近させると、それぞれ単独で形成していた磁界の流れが、合体した磁界の流れに変わると思われる。
その瞬間から第１磁石1と第２磁石２との間は、吸引力(上下の矢印の方向)へと力の方向が逆転する。
つまり、貫通孔３付近では第１磁石1のＮから第２磁石２のＳへ、第２磁石２のＮから第１磁石1のＳへと、貫通孔３内の磁界の流れが再構築されると思われる。
【００１３】
図１（９ｃ）は、第１磁石1の貫通孔３内に第２磁石２が吸い込まれ保持された形態であるが、（９ｃ）の形態で両磁石は安定する。この時、第２磁石２に対して力を加え、上下方向に移動させても所定範囲内、吸引力で元の位置へ復帰する。貫通孔３の形状と第２磁石２の形状は、厚み方向に対して対称形（対称形でなくても機能する）である方が磁力のバランスは良い。
また、第２磁石２の大きさは、貫通孔３と略同サイズか通り抜けるサイズであれば機能するが、貫通孔３よりサイズが大きくなるに従い吸着作用は段々弱くなり、やがて吸着しなくなる。
尚、（９ａ）、（９ｂ）、（９ｃ）で説明した第１磁石1と第２磁石２の１組をクリップセット９という。
【００１４】
図２は本実施形態（１）の、クリップの斜視図である。下基台４及び上基台５は樹脂、金属、鉱物、木材などの固体で製造することが出来る。屈曲部６は適度に弾力性をもたせるために薄くする等、厚さを調節するが、弾力性は開いた状態を維持するために必要なわけではなく、開き過ぎを防止し、使いやすい形態を維持するために利用する。                                                                
【００１５】
第１及び第２磁石の装着方法であるが、そのまま接着剤で表面上に接着するか、磁石の形状にくり貫き基台にはめ込み、磁力が機能しやすい位置に固着させ使用する。さらに、表面には色々な部材で被いをかけ、磁石が見えないようにデザインを施し、利用する方法もある。
一方、クリップ機能は本などのページマーカー、ファイル、しおり、或は収納ケースの開閉装置、単にスプリングとして使用することもできる。
【００１６】
図３は本実施形態（１）の、基台を「く」の字に曲げた形態でのクリップ斜視図であるが、最初から曲がった形を定形にして製造する方が使い易い場合が多い。吸着可能壁に下基台４を吸着させて使用する場合、クリップを閉じた形態から開いた時、上基台５が跳ね上がり開き過ぎて背面の吸着可能壁に吸着するのを屈曲部６の弾力性で防ぐことができる。７は被挟持体（以下、紙片という）である。
【００１７】
次に、両磁石の位置関係であるが、上基台５の第２磁石２は曲げ合わせた時、第１磁石１の貫通孔３の略中心にくるように調節し接着する。それによって、第１磁石1と第２磁石２の間には所定間隔離間した状態では反発力（図３ではＳＳ）が働き、屈曲部６の弾力性や上基台５の重量と、バランスが釣り合った位置で上基台５は維持される。この形態で紙片７などを間に配置し基台を加力して閉じると、吸着力が働きクリップすることができる。
【００１８】
再び、基台を加力して押し広げ、所定間隔離間すると第１磁石1と第２磁石２との反発力により復帰して開いた状態を維持するため、次にクリップする時に都合が良い。また、下基台４の裏面には接着剤などを貼り付け、非磁性の壁に貼り付けて使用できるようにする方法もある。
【００１９】
図４は本実施形態（２）の、関節構造を利用した形態でのクリップ斜視図である。関節構造８は芯体８ａとカバー体８ｂにより構成され、関節部分を所定範囲回転できるように構成し、関節構造８に弾力性は必要ではなく磁石のみの吸着、反発力の作用を利用して切り替えを行う。
【００２０】
図５は本実施形態（３）の、クリップをクリップボードとして利用した形態での斜視図であるが、下基台４を広げボードとすることにより、クリップボードとして使用する。
【００２１】
図６は本実施形態（４）の、基台を「く」の字に曲げた形態でのクリップ斜視図である。この場合、磁石のより効果を出すため磁石部分に紙片などを挟まないようにすることが考えられるが、ストッパー１０は、その為の防止機能（無くても機能する）であり、開口部１１はストッパー１０が上基台５にぶつかるのを防ぐために設けてあるが、基台の形状を変形させ使用する方法もある。
第１磁石１は基台内部へ埋め込み接着し内部は空洞１１にしてあり、第２磁石２は上基台５の表面に接着し空洞１１に入り込めるようにする。両磁石の間に挟む場合は、空洞１１部分に一方の磁石が入り込む形で使用することは出来ないが、基台間に挟む場合は、その分の可動範囲が広がり挟持できる紙片の枚数も当然ふえることになる。
【００２２】
図７は本実施形態（５）の、クリップボードの斜視図である。下基台４にストッパー１０を取り付けるか基台を変形させ、クリップセット９に被挟持体７を挟まないようにする。
【００２３】
図８は本実施形態（６）の、クリップファイルの斜視図である。基台側面に扉１５を取り付け二つ折にすることにより、ファイルとして使用する。
【００２４】
図９は本実施形態（７）の、クリップを開閉に利用した収納ケースである。一方の基台に空洞１２を設ける事により収納ケースとして使用する。通常の磁石の構成では、扉１５は開いても直ぐに閉じてしまうが、本実施形態では開いたままを維持することができる。しかし、扉１５の重量により屈曲部６に弾力性を持たせ利用する方法もある。
【００２５】
では、最後に磁石の形状について説明する。
これまで説明した第１磁石１及び第２磁石２は、いずれも円形またはリング形に形成してあるが、本発明の作用効果を奏する範囲であれば、それ以外に角形や、その他の形状であってもよい。
【００２６】
図１０（１６）で、黒Ｎ（１４）であらわす第１磁石１は下基台４に固着し、白Ｓ（１５）であらわす第２磁石２は上基台５に固着する。たとえば、基本的形状である（１６）以外に、リング型の一部を切り欠いた形（１７）、リング型を半分に分割した形（１８）、モザイク状に配置した形（２０）も本発明の技術思想に含まれる。更に、上記磁石各々を（１９）で示すように、挟持方向と交差する方向に並べた複数（例では３個）の磁石小片によって構成することもできる。つまり、第１磁石１の周縁部と第２磁石２の周縁部とが接近した位置に配置することにより、吸着と反発が切りかわり使用に耐え得る磁力を発揮する。この時、上記磁石小片各々は、互いに磁極方向が同じで同一基台に固着していることはいうまでもない。
図は省略するが、第２磁石２に於いても、第１磁石１と同様に小片に分割及び変形しても、互いに磁極方向が同じで同一基台に固着し、他方の磁石周縁部に配置していれば機能は同じである。
【００２７】
尚、下基台４と上基台５及び第１磁石１、第２磁石２の組合せは実施例に限定されず入れ替えて使用することができる。クリップセット９の数や位置は適宜変更して使用しても何ら支障はない。
また、磁石は場合によって基台内部に埋没させ、或は、基台の形状を隆起又は陥没するなど変形して磁石の位置を移動させ使用する。
【図面の簡単な説明】
【００２８】
【図１】本発明による磁力の相対関係をあらわした図である。
【図２】本発明による実施形態（１）の、クリップの斜視図である。
【図３】本発明による実施形態（１）の、基台を「く」の字に曲げた形態でのクリップの斜視図である。
【図４】本発明による実施形態（２）の、屈曲部に関節構造を利用した形態でのクリップの斜視図である。
【図５】本発明による実施形態（３）の、クリップをクリップボードとして利用した形態での斜視図である。
【図６】本発明による実施形態（４）の、基台を「く」の字に曲げた形態でのクリップの斜視図である。
【図７】本発明による実施形態（５）の、クリップをクリップボードとして利用した形態での斜視図である。
【図８】本発明による実施形態（６）の、クリップファイルとして利用した形態での斜視図である。
【図９】本発明による実施形態（７）の、収納ケースの開閉装置として利用した形態での斜視図である。
【図１０】本発明による実施形態に使用できる磁石の変形例である。
【符号の説明】
【００２９】
１.  第１磁石    
２.  第２磁石  
３.  貫通孔
４.  下基台
５.  上基台
６.  屈曲部
７.  被狭持体(紙片など)
８.  関節構造
８ａ.  芯体
８ｂ.  カバー体 
９.  クリップセット
９ａ.  矢印方向に反発力が作用
９ｂ.  矢印方向に吸着力が作用
９ｃ.  磁力保持された形態
１０.  ストッパー
１１.  開口部
１２.  空洞
１３.  扉
１４. ＜黒＞下基台に属する（以下、同様）
１５. ＜白＞上基台に属する（以下、同様）
１６.  リング形状
１７.  切欠のある形状
１８.  ２つに分割した形状
１９.  小片に分割した形状
２０.  モザイクにした形状
【図１】
2008162254.tif 000003
【図２】
2008162254.tif 000004
【図３】
2008162254.tif 000005
【図４】
2008162254.tif 000006
【図５】
2008162254.tif 000007
【図６】
2008162254.tif 000008
【図７】
2008162254.tif 000009
【図８】
2008162254.tif 000010
【図９】
2008162254.tif 000011
【図１０】
2008162254.tif 000012